(57)【特許請求の範囲】
【請求項１】
中心軸（１）が備えられ、中心軸（１）の外側面の中部に歯溝段（８）が円周設置され、軸スリーブ（９）が中心軸（１）に対して相対的に移動可能であるように中心軸（１）の外側面に嵌合され、軸スリーブ（９）の外側面に複数の軸方向リミット溝（１０）が開設され、各軸方向リミット溝（１０）内にそれぞれ１つの接続板（６）が嵌設され、各接続板（６）の内端の端面にそれぞれ１つの円弧状輪の歯段（７）が設けられ、各円弧状輪の歯段（７）は歯溝段（８）と互いに噛み合い、各接続板（６）の側面にそれぞれ１つのピボット（１１）が取り付けられ、各接続板（６）は、それぞれ、各ピボット（１１）により各軸方向リミット溝（１０）の溝壁に１対１対応してヒンジ接続されていることを特徴とする無段変速機の機械的作動構造。
【請求項２】
前記歯溝段（８）は、等間隔環状歯溝段であり、また、等間隔環状歯溝段の外径が中心軸（１）の直径以下であることを特徴とする請求項１に記載の無段変速機の機械的作動構造。
【請求項３】
前記歯溝段（８）は、等間隔環状歯溝段であり、また、等間隔環状歯溝段の外径が中心軸（１）の直径よりも大きいことを特徴とする請求項１に記載の無段変速機の機械的作動構造。
【請求項４】
前記歯溝段（８）は、らせん歯溝段であり、また、らせん歯溝段の外径が中心軸（１）の直径以下であることを特徴とする請求項１に記載の無段変速機の機械的作動構造。
【請求項５】
前記歯溝段（８）は、らせん歯溝段であり、また、らせん歯溝段の外径が中心軸（１）の直径よりも大きいことを特徴とする請求項１に記載の無段変速機の機械的作動構造。
【請求項６】
中心軸（１）の両端にそれぞれ１つの椀状輪（２）が取り付けられ、２つの椀状輪（２）の椀口が対向していることを特徴とする請求項１乃至５のいずれか１項に記載の無段変速機の機械的作動構造。
【請求項７】
軸スリーブ（９）の両端はそれぞれ２つの椀状輪（２）の椀底の中央を貫通しており、中心軸（１）の両端はそれぞれ２つの椀状輪（２）の椀底の中央を貫通していることを特徴とする請求項６に記載の無段変速機の機械的作動構造。
【請求項８】
軸スリーブ（９）は、一端が一方の椀状輪（２）の椀底の中央を貫通し、他端が２つの椀状輪（２）の椀口間にあり、中心軸（１）の両端はそれぞれ２つの椀状輪（２）の椀底の中央を貫通していることを特徴とする請求項６に記載の無段変速機の機械的作動構造。
【請求項９】
軸スリーブ（９）の両端は、２つの椀状輪（２）の椀口間にあり、中心軸（１）の両端は、それぞれ、２つの椀状輪（２）の椀底の中央を貫通していることを特徴とする請求項６に記載の無段変速機の機械的作動構造。
【請求項１０】
軸スリーブ（９）は、一端が一方の椀状輪（２）の椀底の中央を貫通し、かつ、その端の端面に軸方向貫通孔（１２）が開設され、他端が２つの椀状輪（２）の椀口間にあり、中心軸（１）は、一端が他方の椀状輪（２）の椀底の中央を貫通し、他端が２つの椀状輪（２）の椀口間にあることを特徴とする請求項６に記載の無段変速機の機械的作動構造。
【請求項１１】
軸方向貫通孔（１２）の内径は、中心軸（１）の外径と同等であることを特徴とする請求項１０に記載の無段変速機の機械的作動構造。
【請求項１２】
軸方向貫通孔（１２）の内径は、中心軸（１）の外径よりも小さいことを特徴とする請求項１０に記載の無段変速機の機械的作動構造。
【請求項１３】
２つの椀状輪（２）の椀口間に周方向に沿って等距離で複数の柱状輪（３）が取り付けられ、柱状輪（３）の数が接続板（６）の数と一致し、各柱状輪（３）の両端にそれぞれ１つの輪キャップ（４）が設けられ、各柱状輪（３）における２つの輪キャップ（４）は、それぞれ２つの椀状輪（２）の内壁に貼り合われ、各柱状輪（３）の外側面にそれぞれ１つの輪スリーブ（５）が嵌合され、各輪スリーブ（５）の外側面は、各接続板（６）の外端の端面に1対1対応して固定されていることを特徴とする請求項６に記載の無段変速機の機械的作動構造。
【請求項１４】
２つの椀状輪（２）の椀口間に周方向に沿って等距離で複数の環状輪（１３）が取り付けられ、環状輪（１３）の数が接続板（６）の数と一致し、各環状輪（１３）の内側リングにそれぞれ１つの軸受（１４）が嵌合され、各軸受（１４）の内側リングにおける２つの対称点は、各接続板（６）の両側端面に1対1対応して固定されていることを特徴とする請求項６に記載の無段変速機の機械的作動構造。
【請求項１５】
各ピボット（１１）の両端は、いずれも、延長して各軸受（１４）の内側リングにおける２つの対称点に固定されてもよいことを特徴とする請求項１４に記載の無段変速機の機械的作動構造。
【発明の詳細な説明】
【技術分野】
【０００１】
本発明は、無段変速技術に関し、具体的に、無段変速機の機械的作動構造である。
【背景技術】
【０００２】
無段変速は、変速伝動構造とワーキング径が変更可能な原動・従動輪の協働により動力を伝達することを指し、伝動比の連続的な変更を実現することができ、伝動系とエンジンの動作条件の最適なマッチングが得られる。従来の無段変速伝動構造は、一般的に、鋼帯式の無段変速伝動構造、ローラーターンテーブル式の無段変速伝動構造などを含む。ただし、鋼帯式の無段変速伝動構造は、鋼帯が損害されやすいという問題があり、ローラーターンテーブル式の無段変速伝動構造は、構造が複雑で、メンテナンスが面倒であるという問題がある。これに従って、従来の無段変速伝動構造における上記問題が解決されるように、真新しい無段変速伝動構造を発明しなければならない。
【発明の開示】
【発明が解決しようとする課題】
【０００３】
本発明は、従来の無段変速伝動構造における鋼帯が損害されやすく、構造が複雑で、かつ、メンテナンスが面倒であるという問題を解決するために、無段変速機の機械的作動構造を提供する。
【課題を解決するための手段】
【０００４】
本発明は、下記のような技術的手段によって実現される。中心軸が備えられ、中心軸の外側面の中部に歯溝段が円周設置され、中心軸の外側面に軸スリーブが嵌合され、軸スリーブの外側面に複数の軸方向リミット溝が開設され、各軸方向リミット溝内にそれぞれ１つの接続板が嵌設され、各接続板の内端の端面にそれぞれ１つの円弧状輪の歯段が設けられ、各円弧状輪の歯段は歯溝段と互いに噛み合い、各接続板の側面にそれぞれ１つのピボットが取り付けられ、各接続板は、それぞれ、各ピボットにより各軸方向リミット溝の溝壁に１対１対応してヒンジ接続されている無段変速機の機械的作動構造である。
【０００５】
ワークプロセスは、下記の通りである。変速を行う際に、中心軸と軸スリーブが相対的に動かれるように、軸スリーブの軸線方向に沿って中心軸を移動し、又は、軸スリーブを移動するように作動する。相対的に動かれるとともに互いに噛み合う円弧状輪の歯段と歯溝段の共同作用で、接続板は、軸スリーブの軸線方向に沿ってシーソーのように動かれる（図１５、図１６を参照）ことで、変速の目的が達成される。これに基づき、２つの上記無段変速機の機械的作動構造を直列（図１７を参照）又は並列接続する（図１８を参照）ことにより、種々の変速の目的が達成可能である。上述したプロセスにより、従来の無段変速伝動構造と比べ、本発明による無段変速機の機械的作動構造は、真新しい変速構造及び原理に基づき、鋼帯が損害される問題を回避しているとともに、その構造をさらに簡単化し、メンテナンスをより便利にしている。
【０００６】
本発明は、真新しい変速構造及び原理に基づき、従来の無段変速伝動構造における鋼帯が損害されやすく、構造が複雑で、かつ、メンテナンスが面倒であるという問題を有効に解決し、自動車の変速に適用される。
【図面の簡単な説明】
【０００７】
【図１】本発明の実施例１の構造を模式的に示す図である。
【図２】図１のＡ−Ａ断面図である。
【図３】図２のＢ−Ｂ断面図である。
【図４】本発明の実施例２の構造を模式的に示す図である。
【図５】本発明の実施例３の構造を模式的に示す図である。
【図６】本発明の実施例４の構造を模式的に示す図である。
【図７】本発明の実施例５の構造を模式的に示す図である。
【図８】本発明の実施例６の構造を模式的に示す図である。
【図９】本発明の実施例７の構造を模式的に示す図である。
【図１０】本発明の実施例８の構造を模式的に示す図である。
【図１１】本発明の実施例９の第1種の構造を模式的に示す図である。
【図１２】図１１の上面図である。
【図１３】本発明の実施例９の第２種の構造を模式的に示す図である。
【図１４】図１３の上面図である。
【図１５】本発明の第１種の使用状態を模式的に示す図である。
【図１６】本発明の第２種の使用状態を模式的に示す図である。
【図１７】本発明の第３種の使用状態を模式的に示す図である。
【図１８】本発明の第４種の使用状態を模式的に示す図である。
【発明を実施するための形態】
【０００８】
実施例１
無段変速機の機械的作動構造は、中心軸１が備えられ、中心軸１の外側面の中部に歯溝段８が円周設置され、中心軸１の外側面に軸スリーブ９が嵌合され、軸スリーブ９の外側面に複数の軸方向リミット溝１０が開設され、各軸方向リミット溝１０内にそれぞれ１つの接続板６が嵌設され、各接続板６の内端の端面にそれぞれ１つの円弧状輪の歯段７が設けられ、各円弧状輪の歯段７は歯溝段８と互いに噛み合い、各接続板６の側面にそれぞれ１つのピボット１１が取り付けられ、各接続板６は、それぞれ、各ピボット１１により各軸方向リミット溝１０の溝壁に１対１対応してヒンジ接続されており、
本実施例において、図１〜図３に示すように、前記歯溝段８は、等間隔環状歯溝段であり、また、等間隔環状歯溝段の外径が中心軸１の直径以下であり、
中心軸１の両端にそれぞれ１つの椀状輪２が取り付けられ、２つの椀状輪２の椀口が対向しており、
軸スリーブ９の両端はそれぞれ２つの椀状輪２の椀底の中央を貫通し、中心軸１の両端はそれぞれ２つの椀状輪２の椀底の中央を貫通しており、
２つの椀状輪２の椀口間に周方向に沿って等距離で複数の柱状輪３が取り付けられ、柱状輪３の数が接続板６の数と一致し、各柱状輪３の両端にそれぞれ１つの輪キャップ４が設けられ、各柱状輪３における２つの輪キャップ４は、それぞれ２つの椀状輪２の内壁に貼り合われ、各柱状輪３の外側面にそれぞれ１つの輪スリーブ５が嵌合され、各輪スリーブ５の外側面は、各接続板６の外端の端面に１対１対応して固定されている。
具体的に実施する場合に、椀状輪と軸スリーブ又は中心軸とは、軸受と軸の嵌合関係であってもよい。柱状輪と輪スリーブとも、同様に、軸受と軸の嵌合関係であってもよい。変速を行う際に、椀状輪は、中心軸又は軸スリーブをめぐって回転されるが、中心軸及び軸スリーブは回転されない。
【０００９】
実施例２
無段変速機の機械的作動構造は、中心軸１が備えられ、中心軸１の外側面の中部に歯溝段８が円周設置され、中心軸１の外側面に軸スリーブ９が嵌合され、軸スリーブ９の外側面に複数の軸方向リミット溝１０が開設され、各軸方向リミット溝１０内にそれぞれ１つの接続板６が嵌設され、各接続板６の内端の端面にそれぞれ１つの円弧状輪の歯段７が設けられ、各円弧状輪の歯段７は歯溝段８と互いに噛み合い、各接続板６の側面にそれぞれ１つのピボット１１が取り付けられ、各接続板６は、それぞれ、各ピボット１１により各軸方向リミット溝１０の溝壁に１対１対応してヒンジ接続されている。
【００１０】
本実施例において、図４に示すように、前記歯溝段８は、等間隔環状歯溝段であり、また、等間隔環状歯溝段の外径が中心軸１の直径よりも大きく、
中心軸１の両端にそれぞれ１つの椀状輪２が取り付けられ、２つの椀状輪２の椀口が対向しており、
軸スリーブ９の両端はそれぞれ２つの椀状輪２の椀底の中央を貫通し、中心軸１の両端はそれぞれ２つの椀状輪２の椀底の中央を貫通しており、
２つの椀状輪２の椀口間に周方向に沿って等距離で複数の柱状輪３が取り付けられ、柱状輪３の数が接続板６の数と一致し、各柱状輪３の両端にそれぞれ１つの輪キャップ４が設けられ、各柱状輪３における２つの輪キャップ４は、それぞれ２つの椀状輪２の内壁に貼り合われ、各柱状輪３の外側面にそれぞれ１つの輪スリーブ５が嵌合され、各輪スリーブ５の外側面は、各接続板６の外端の端面に１対１対応して固定されている。
具体的に実施する場合に、椀状輪と軸スリーブ又は中心軸とは、軸受と軸の嵌合関係であってもよい。柱状輪と輪スリーブとも、同様に、軸受と軸の嵌合関係であってもよい。変速を行う際に、椀状輪は、中心軸又は軸スリーブをめぐって回転されるが、中心軸及び軸スリーブは回転されない。
【００１１】
実施例３
無段変速機の機械的作動構造は、中心軸１が備えられ、中心軸１の外側面の中部に歯溝段８が円周設置され、中心軸１の外側面に軸スリーブ９が嵌合され、軸スリーブ９の外側面に複数の軸方向リミット溝１０が開設され、各軸方向リミット溝１０内にそれぞれ１つの接続板６が嵌設され、各接続板６の内端の端面にそれぞれ１つの円弧状輪の歯段７が設けられ、各円弧状輪の歯段７は歯溝段８と互いに噛み合い、各接続板６の側面にそれぞれ１つのピボット１１が取り付けられ、各接続板６は、それぞれ、各ピボット１１により各軸方向リミット溝１０の溝壁に１対１対応してヒンジ接続されており、
本実施例において、図５に示すように、上記歯溝段８は、らせん歯溝段であり、また、らせん歯溝段の外径が中心軸１の直径以下であり、
中心軸１の両端にそれぞれ１つの椀状輪２が取り付けられ、２つの椀状輪２の椀口が対向しており、
軸スリーブ９の両端はそれぞれ２つの椀状輪２の椀底の中央を貫通し、中心軸１の両端はそれぞれ２つの椀状輪２の椀底の中央を貫通しており、
２つの椀状輪２の椀口間に周方向に沿って等距離で複数の柱状輪３が取り付けられ、柱状輪３の数が接続板６の数と一致し、各柱状輪３の両端にそれぞれ１つの輪キャップ４が設けられ、各柱状輪３における２つの輪キャップ４は、それぞれ、２つの椀状輪２の内壁に貼り合われ、各柱状輪３の外側面にそれぞれ１つの輪スリーブ５が嵌合され、各輪スリーブ５の外側面は、各接続板６の外端の端面に１対１対応して固定されている。
具体的に実施する場合に、椀状輪と軸スリーブ又は中心軸とは、軸受と軸の嵌合関係であってもよい。柱状輪と輪スリーブとも、同様に、軸受と軸の嵌合関係であってもよい。変速を行う際に、椀状輪は、中心軸又は軸スリーブをめぐって回転されるが、中心軸及び軸スリーブは回転されない。
【００１２】
実施例４
無段変速機の機械的作動構造は、中心軸１が備えられ、中心軸１の外側面の中部に歯溝段８が円周設置され、中心軸１の外側面に軸スリーブ９が嵌合され、軸スリーブ９の外側面に複数の軸方向リミット溝１０が開設され、各軸方向リミット溝１０内にそれぞれ１つの接続板６が嵌設され、各接続板６の内端の端面にそれぞれ１つの円弧状輪の歯段７が設けられ、各円弧状輪の歯段７は歯溝段８と互いに噛み合い、各接続板６の側面にそれぞれ１つのピボット１１が取り付けられ、各接続板６は、それぞれ、各ピボット１１により各軸方向リミット溝１０の溝壁に１対１対応してヒンジ接続されており、
本実施例において、図６に示すように、上記歯溝段８は、らせん歯溝段であり、また、らせん歯溝段の外径が中心軸１の直径よりも大きく、
中心軸１の両端にそれぞれ１つの椀状輪２が取り付けられ、２つの椀状輪２の椀口が対向しており、
軸スリーブ９の両端はそれぞれ２つの椀状輪２の椀底の中央を貫通し、中心軸１の両端はそれぞれ２つの椀状輪２の椀底の中央を貫通しており、
２つの椀状輪２の椀口間に周方向に沿って等距離で複数の柱状輪３が取り付けられ、柱状輪３の数が接続板６の数と一致し、各柱状輪３の両端にそれぞれ１つの輪キャップ４が設けられ、各柱状輪３における２つの輪キャップ４は、それぞれ２つの椀状輪２の内壁に貼り合われ、各柱状輪３の外側面にそれぞれ１つの輪スリーブ５が嵌合され、各輪スリーブ５の外側面は、各接続板６の外端の端面に１対１対応して固定されている。
具体的に実施する場合に、椀状輪と軸スリーブ又は中心軸とは、軸受と軸の嵌合関係であってもよい。柱状輪と輪スリーブとも、同様に、軸受と軸の嵌合関係であってもよい。変速を行う際に、椀状輪は、中心軸又は軸スリーブをめぐって回転されるが、中心軸及び軸スリーブは回転されない。
【００１３】
実施例５
無段変速機の機械的作動構造は、中心軸１が備えられ、中心軸１の外側面の中部に歯溝段８が円周設置され、中心軸１の外側面に軸スリーブ９が嵌合され、軸スリーブ９の外側面に複数の軸方向リミット溝１０が開設され、各軸方向リミット溝１０内にそれぞれ１つの接続板６が嵌設され、各接続板６の内端の端面にそれぞれ１つの円弧状輪の歯段７が設けられ、各円弧状輪の歯段７は歯溝段８と互いに噛み合い、各接続板６の側面にそれぞれ１つのピボット１１が取り付けられ、各接続板６は、それぞれ、各ピボット１１により各軸方向リミット溝１０の溝壁に1対1対応してヒンジ接続されており、
本実施例において、図７に示すように、上記歯溝段８は、等間隔環状歯溝段であり、また、等間隔環状歯溝段の外径が中心軸１の直径以下であり、
中心軸１の両端にそれぞれ１つの椀状輪２が取り付けられ、２つの椀状輪２の椀口が対向しており、
軸スリーブ９は、一端が一方の椀状輪２の椀底の中央を貫通し、他端が２つの椀状輪２の椀口間にあり、中心軸１の両端はそれぞれ２つの椀状輪２の椀底の中央を貫通しており、
２つの椀状輪２の椀口間に周方向に沿って等距離で複数の柱状輪３が取り付けられ、柱状輪３の数が接続板６の数と一致し、各柱状輪３の両端にそれぞれ１つの輪キャップ４が設けられ、各柱状輪３における２つの輪キャップ４は、それぞれ２つの椀状輪２の内壁に貼り合われ、各柱状輪３の外側面にそれぞれ１つの輪スリーブ５が嵌合され、各輪スリーブ５の外側面は、各接続板６の外端の端面に1対1対応して固定されている。
具体的に実施する場合に、椀状輪と軸スリーブ又は中心軸とは、軸受と軸の嵌合関係であってもよい。柱状輪と輪スリーブとも、同様に、軸受と軸の嵌合関係であってもよい。変速を行う際に、椀状輪は、中心軸又は軸スリーブをめぐって回転されるが、中心軸及び軸スリーブは回転されない。
【００１４】
実施例６
無段変速機の機械的作動構造は、中心軸１が備えられ、中心軸１の外側面の中部に歯溝段８が円周設置され、中心軸１の外側面に軸スリーブ９が嵌合され、軸スリーブ９の外側面に複数の軸方向リミット溝１０が開設され、各軸方向リミット溝１０内にそれぞれ１つの接続板６が嵌設され、各接続板６の内端の端面にそれぞれ１つの円弧状輪の歯段７が設けられ、各円弧状輪の歯段７は歯溝段８と互いに噛み合い、各接続板６の側面にそれぞれ１つのピボット１１が取り付けられ、各接続板６は、それぞれ、各ピボット１１により各軸方向リミット溝１０の溝壁に1対1対応してヒンジ接続されており、
本実施例において、図８に示すように、上記歯溝段８は、等間隔環状歯溝段であり、また、等間隔環状歯溝段の外径が中心軸１の直径以下であり、
中心軸１の両端にそれぞれ１つの椀状輪２が取り付けられ、２つの椀状輪２の椀口が対向しており、
軸スリーブ９の両端は２つの椀状輪２の椀口間にあり、中心軸１の両端はそれぞれ２つの椀状輪２の椀底の中央を貫通しており、
２つの椀状輪２の椀口間に周方向に沿って等距離で複数の柱状輪３が取り付けられ、柱状輪３の数が接続板６の数と一致し、各柱状輪３の両端にそれぞれ１つの輪キャップ４が設けられ、各柱状輪３における２つの輪キャップ４は、それぞれ２つの椀状輪２の内壁に貼り合われ、各柱状輪３の外側面にそれぞれ１つの輪スリーブ５が嵌合され、各輪スリーブ５の外側面は、各接続板６の外端の端面に1対1対応して固定されている。
具体的に実施する場合に、椀状輪と軸スリーブ又は中心軸とは、軸受と軸の嵌合関係であってもよい。柱状輪と輪スリーブとも、同様に、軸受と軸の嵌合関係であってもよい。変速を行う際に、椀状輪は、中心軸又は軸スリーブをめぐって回転されるが、中心軸及び軸スリーブは回転されない。
【００１５】
実施例７
無段変速機の機械的作動構造は、中心軸１が備えられ、中心軸１の外側面の中部に歯溝段８が円周設置され、中心軸１の外側面に軸スリーブ９が嵌合され、軸スリーブ９の外側面に複数の軸方向リミット溝１０が開設され、各軸方向リミット溝１０内にそれぞれ１つの接続板６が嵌設され、各接続板６の内端の端面にそれぞれ１つの円弧状輪の歯段７が設けられ、各円弧状輪の歯段７は歯溝段８と互いに噛み合い、各接続板６の側面にそれぞれ１つのピボット１１が取り付けられ、各接続板６は、それぞれ、各ピボット１１により各軸方向リミット溝１０の溝壁に1対1対応してヒンジ接続されており、
本実施例において、図９に示すように、上記歯溝段８は、等間隔環状歯溝段であり、また、等間隔環状歯溝段の外径が中心軸１の直径以下であり、
中心軸１の両端にそれぞれ１つの椀状輪２が取り付けられ、２つの椀状輪２の椀口が対向しており、
軸スリーブ９は、一端が一方の椀状輪２の椀底の中央を貫通し、かつ、その端の端面に軸方向貫通孔１２が開設され、他端が２つの椀状輪２の椀口間にあり、中心軸１は、一端が他方の椀状輪２の椀底の中央を貫通し、他端が２つの椀状輪２の椀口間にあり、
軸方向貫通孔１２の内径は、中心軸１の外径と同等であり、
２つの椀状輪２の椀口間に周方向に沿って等距離で複数の柱状輪３が取り付けられ、柱状輪３の数が接続板６の数と一致し、各柱状輪３の両端にそれぞれ１つの輪キャップ４が設けられ、各柱状輪３における２つの輪キャップ４は、それぞれ２つの椀状輪２の内壁に貼り合われ、各柱状輪３の外側面にそれぞれ１つの輪スリーブ５が嵌合され、各輪スリーブ５の外側面は、各接続板６の外端の端面に1対1対応して固定されている。
具体的に実施する場合に、椀状輪と軸スリーブ又は中心軸とは、軸受と軸の嵌合関係であってもよい。柱状輪と輪スリーブとも、同様に、軸受と軸の嵌合関係であってもよい。変速を行う際に、椀状輪は、中心軸又は軸スリーブをめぐって回転されるが、中心軸及び軸スリーブは回転されない。
【００１６】
実施例８
無段変速機の機械的作動構造は、中心軸１が備えられ、中心軸１の外側面の中部に歯溝段８が円周設置され、中心軸１の外側面に軸スリーブ９が嵌合され、軸スリーブ９の外側面に複数の軸方向リミット溝１０が開設され、各軸方向リミット溝１０内にそれぞれ１つの接続板６が嵌設され、各接続板６の内端の端面にそれぞれ１つの円弧状輪の歯段７が設けられ、各円弧状輪の歯段７は歯溝段８と互いに噛み合い、各接続板６の側面にそれぞれ１つのピボット１１が取り付けられ、各接続板６は、それぞれ、各ピボット１１により各軸方向リミット溝１０の溝壁に1対1対応してヒンジ接続されており、
本実施例において、図１０に示すように、上記歯溝段８は、等間隔環状歯溝段であり、また、等間隔環状歯溝段の外径が中心軸１の直径以下であり、
中心軸１の両端にそれぞれ１つの椀状輪２が取り付けられ、２つの椀状輪２の椀口が対向しており、
軸スリーブ９は、一端が一方の椀状輪２の椀底の中央を貫通し、かつ、その端の端面に軸方向貫通孔１２が開設され、他端が２つの椀状輪２の椀口間にあり、中心軸１は、一端が他方の椀状輪２の椀底の中央を貫通し、他端が２つの椀状輪２の椀口間にあり、
軸方向貫通孔１２の内径は、中心軸１の外径よりも小さく、
２つの椀状輪２の椀口間に周方向に沿って等距離で複数の柱状輪３が取り付けられ、柱状輪３の数が接続板６の数と一致し、各柱状輪３の両端にそれぞれ１つの輪キャップ４が設けられ、各柱状輪３における２つの輪キャップ４は、それぞれ２つの椀状輪２の内壁に貼り合われ、各柱状輪３の外側面にそれぞれ１つの輪スリーブ５が嵌合され、各輪スリーブ５の外側面は、各接続板６の外端の端面に1対1対応して固定されている。
具体的に実施する場合に、椀状輪と軸スリーブ又は中心軸とは、軸受と軸の嵌合関係であってもよい。柱状輪と輪スリーブとも、同様に、軸受と軸の嵌合関係であってもよい。変速を行う際に、椀状輪は、中心軸又は軸スリーブをめぐって回転されるが、中心軸及び軸スリーブは回転されない。
【００１７】
実施例９
無段変速機の機械的作動構造は、中心軸１が備えられ、中心軸１の外側面の中部に歯溝段８が円周設置され、中心軸１の外側面に軸スリーブ９が嵌合され、軸スリーブ９の外側面に複数の軸方向リミット溝１０が開設され、各軸方向リミット溝１０内にそれぞれ１つの接続板６が嵌設され、各接続板６の内端の端面にそれぞれ１つの円弧状輪の歯段７が設けられ、各円弧状輪の歯段７は歯溝段８と互いに噛み合い、各接続板６の側面にそれぞれ１つのピボット１１が取り付けられ、各接続板６は、それぞれ、各ピボット１１により各軸方向リミット溝１０の溝壁に1対1対応してヒンジ接続されており、
本実施例において、図１１〜図１４に示すように、上記歯溝段８は、等間隔環状歯溝段であり、また、等間隔環状歯溝段の外径が中心軸１の直径以下であり、
中心軸１の両端にそれぞれ１つの椀状輪２が取り付けられ、２つの椀状輪２の椀口が対向しており、
軸スリーブ９の両端はそれぞれ２つの椀状輪２の椀底の中央を貫通しており、中心軸１の両端はそれぞれ２つの椀状輪２の椀底の中央を貫通しており、
２つの椀状輪２の椀口間に周方向に沿って等距離で複数の環状輪１３が取り付けられ、環状輪１３の数が接続板６の数と一致し、各環状輪１３の内側リングにそれぞれ１つの軸受１４が嵌合され、各軸受１４の内側リングにおける２つの対称点は、各接続板６の両側端面に1対1対応して固定されている。
図１３〜図１４に示すように、各ピボット１１の両端は、いずれも、延長して各軸受１４の内側リングにおける２つの対称点に固定されてもよく、
具体的に実施する場合に、椀状輪と軸スリーブ又は中心軸とは、軸受と軸の嵌合関係であってもよい。柱状輪と輪スリーブとも、同様に、軸受と軸の嵌合関係であってもよい。変速を行う際に、椀状輪は、中心軸又は軸スリーブをめぐって回転されるが、中心軸及び軸スリーブは回転されない。
実施例５〜実施例９において、中心軸における歯溝段としては、いずれも等間隔環状歯溝段を例示しているが、実際の適用の場合に、中心軸における歯溝段は、いずれもらせん歯溝段に置き換えもよい。実施例１〜実施例９において、中心軸の断面は、いずれも円形を例示しているが、実際の適用の場合に、中心軸の断面は、いずれも他の形状（例えば、正三角形、正方形など）に置き換えてもよい。
【符号の説明】
【００１８】
１・・・中心軸、２・・・椀状輪、３・・・柱状輪、４・・・輪キャップ、５・・・輪スリーブ、６・・・接続板、７・・・円弧状輪の歯段、８・・・歯溝段、９・・・軸スリーブ、１０・・・軸方向リミット溝、１１・・・ピボット、１２・・・軸方向貫通孔、１３・・・環状輪、１４・・・軸受
【図１】
0006169779.tif 000002
【図２】
0006169779.tif 000003
【図３】
0006169779.tif 000004
【図４】
0006169779.tif 000005
【図５】
0006169779.tif 000006
【図６】
0006169779.tif 000007
【図７】
0006169779.tif 000008
【図８】
0006169779.tif 000009
【図９】
0006169779.tif 000010
【図１０】
0006169779.tif 000011
【図１１】
0006169779.tif 000012
【図１２】
0006169779.tif 000013
【図１３】
0006169779.tif 000014
【図１４】
0006169779.tif 000015
【図１５】
0006169779.tif 000016
【図１６】
0006169779.tif 000017
【図１７】
0006169779.tif 000018
【図１８】
0006169779.tif 000019